(57)【要約】【課題】容易に分解可能な直列式ファンの組合せ機構を提供する。【解決手段】  主に少なくとも２個のファンを直列接続する。該第一ファンのファンフレーム対連側には少なくとも１個の設置部を設置し、該第二ファンは該第一ファンの設置部により該第二ファンの対連側において対応し突出する接固部を形成する。該接固部は該第一ファンの設置部内に挿入、設置され、こうして該第一ファンと該第二ファンは安定的に直列接続され、かつ直列接続後も分解が容易であるという特性を発揮することができる。【選択図】  図４
0003108025.tif 000002
【実用新案登録請求の範囲】
【請求項１】
主に少なくとも２個のファンを直列接合し、
これら少なくとも２個の第一ファンのファンフレームの対連側において少なくとも１個の設置部を設置し、これら少なくとも２個のファンのファンフレームの対連側には第一ファンの設置部により、第二ファンのファンフレームにおいて対応し突出設置する接固部を具え、該第一ファンの設置部により該第二ファンの接固部を嵌合し、これにより少なくとも２個の第一ファン及び第二ファンは安定的に直列接続され、しかも分離が容易であるという特性を達成することを特徴とする直列式ファンの組合せ機構。
【請求項２】
前記設置部は凹槽状を呈することを特徴とする請求項１記載の直列式ファンの組合せ機構。
【請求項３】
前記設置部は破口を具え、該破口は前記第一ファンのファンフレームを貫通し、前記第二ファンの接固部を嵌合することを特徴とする請求項１記載の直列式ファンの組合せ機構。
【請求項４】
前記接固部は係合固定ユニットを具え、前記設置部の破口を嵌合することを特徴とする請求項３記載の直列式ファンの組合せ機構。
【請求項５】
前記係合固定ユニットは逆フック状を呈することを特徴とする請求項４記載の直列式ファンの組合せ機構。
【考案の詳細な説明】
【技術分野】
【０００１】
本考案は一種の直列式ファンの組合せ機構に関する。特に一種の複数のファンは互いに直列接合後も容易に分解可能である直列式ファンの組合せ機構に係る。
【背景技術】
【０００２】
電子部品の日進月歩のグレードアップと、性能、処理速度、パワーに対する使用者のニーズの高まりに伴い、機器冷却の問題はますます重要性を増している。
特にコンピュータにおいては、CPUの機能上昇に加え、ノースブリッジチップなども処理機能の向上に伴い高温を発生するようになっているが、これら発熱する電子部品は、熱量をスピーディーに放出させなければ機能の低下を招き、使用寿命にも悪影響を及ぼしかねない。
これら高機能かつ高発熱の電子部品がその機能を十分に発揮し、使用寿命への悪影響を防ぐため、通常は散熱装置を使用し散熱を助ける。一般に広く使用されている散熱装置は散熱ファンと散熱器である。該散熱ファン及び該散熱器は便利でリーズナブルであるため、多くのメーカーが採用し、また研究開発を続けている。散熱ファンにおいては熱量が増加の一途を辿っている発熱部品にスムーズに散熱させるため、ファンの風量を増やし散熱効率を向上させる方法が考えられる。
風量増加には以下の二種の手段がある。
先ずはファンの体積を増やす方法であり、もう一つはファンの回転速度を上げる方法である。しかし、該ファンの体積を増やす方法は使用場所に空間的な制限があり体積の増加にも一定の制限が加わらざるを得ず、該ファンの回転速度を上げる方法はモーター性能の制限を受ける。こうして、２個の体積が同一のファンを直列に接合し風量及び風圧を向上させ、散熱効率を向上させる方法が考え出された。
【０００３】
このような構成の中華民国特許公告第481434号の「CPUの冷却装置」において示されるCPUの冷却装置は、散熱板及び少なくとも２個以上のファンを含む。該少なくとも２個の第一ファン、第二ファンは直列式に対応接続し、該２個のファン間は数本の連結柱により間隔距離を形成する。こうして散熱板がCPUの高温を吸収する時、該直列ファンは圧力増加により大風量を吸収し、冷却効率、温度低下効果とその速度を向上させることができる。
該２個のファンのファンフレーム四隅には貫通孔を設置し、該第一ファンにより該第二ファンを直列する時、ネジにより該２個のファンの貫通孔を貫通、結合し、該散熱板上において固定する。
しかし、この種のネジにのみ頼り２個のファンを結合する方法は実施においては問題が存在する。なぜなら、該２個のファンはネジの螺合により、該２個のファンの接合面ではなく一組のファンの片側に圧力が加わるため、直列接続の接合力不足を生じる。よってファン回転時の雑音を生じる恐れがあり、同時に流体も接合面の間隙よりあふれ出し、散熱器の風量作用に影響を及ぼし、散熱機能を低下させてしまう。
【０００４】
次に図１、２、３に示すように、許公知の改良型直列式ファンは２個のファンを含む。第一ファン１はファンフレーム１１を具え、該ファンフレーム１１内のファンホイール１２において設置される。該ファンフレーム１１両側にはそれぞれ入口１１１、出口１１２を具え、四隅には貫通孔１１３を設置し、ネジ３により貫通する。該ファンフレーム１１の出口１１２縁には係合固定部１１４を突出設置する。第二ファン２はファンフレーム１１を具え、該ファンフレーム２１内のファンホイール２２において設置される。該ファンフレーム２１両側にはそれぞれ入口２１１、出口２１２を具え、四隅には貫通孔２１３を設置し、ネジ３により貫通する。該第二ファン２のファンフレーム２１の入口２１１側には該第一ファン１の係合固定部１１４に対応し、該第二ファン２のファンフレーム２１に設置される接合部２１４を形成する。該第二ファン２の接合部２１４により該第一ファン１の係合固定部１１４は係合固定され、該ネジ３は該第一ファン１及び該第二ファン２の貫通孔１１３、２１３を貫通し、これにより安定的に直列接合される。
【特許文献１】中華民国特許公告第481434号公報
【特許文献２】特開２００２−１９０６８５号公報
【考案の開示】
【考案が解決しようとする課題】
【０００５】
しかしながら、従来の公知のファン構造には以下の欠点があった。
すなわち、上記の改良型の公知構造でも、操作上、従来の公知構造と同様の問題が存在する。すなわち、係合固定部が接合部に係合後は分解が難しく、その分離にはマイナスドライバーなどの工具を必要とする。該係合固定部を該接合部から離脱させなければ該第一ファン及び該第二ファンを分離させることはできず、使用上不便である。
本考案は上記構造の問題点を解決し、容易に分解可能な直列式ファンの組合せ機構を提供するものである。
【課題を解決するための手段】
【０００６】
上記課題を解決するため、請求項１の考案は、主に少なくとも２個のファンを直列接合し、これら少なくとも２個の第一ファンのファンフレームの対連側において少なくとも１個の設置部を設置し、これら少なくとも２個のファンのファンフレームの対連側には第一ファンの設置部により、第二ファンのファンフレームにおいて対応し突出設置する接固部を具え、該第一ファンの設置部により該第二ファンの接固部を嵌合し、これにより少なくとも２個の第一ファン及び第二ファンは安定的に直列接続され、しかも分離が容易であるという特性を達成することを特徴とする直列式ファンの組合せ機構である。
請求項２の考案は、前記設置部は凹槽状を呈することを特徴とする請求項１記載の直列式ファンの組合せ機構である。
請求項３の考案は、前記設置部は破口を具え、該破口は前記第一ファンのファンフレームを貫通し、前記第二ファンの接固部を嵌合することを特徴とする請求項１記載の直列式ファンの組合せ機構である。
請求項４の考案は、前記接固部は係合固定ユニットを具え、前記設置部の破口を嵌合することを特徴とする請求項３記載の直列式ファンの組合せ機構である。
請求項５の考案は、前記係合固定ユニットは逆フック状を呈することを特徴とする請求項４記載の直列式ファンの組合せ機構である。
これらの考案は、主に少なくとも２個のファンを直列組合せ後も分解が容易である組合せ機構であることを特徴とする直列式ファンの組合せ機構である。
【考案の効果】
【０００７】
上記のように、本考案は第二ファンの接固部の係合固定ユニットを下方へと押すと、該係合固定ユニットは第一ファンの設置部の破口から離脱し、該第一ファン及び該第二ファンはスムーズに分離される。こうして、第一ファン及び第二ファンは直列接合後も、容易に分解可能な特性を具えるようになり、公知の直列式ファンの分解困難であるという欠点を改善することができる。
【考案を実施するための最良の形態】
【０００８】
本考案の実施例は、図４に示すように、少なくとも第一ファン４、第二ファン５を含む。
該第一ファン４はファンフレーム４１、ファンホイール４２を含み、該第一ファン４のファンフレーム４１は中空部を具え、該ファンホイール４２を設置する。該第一ファン４のファンフレーム４１の対連側４１１においてこしき台４１３を設置し、直径方向の排列で、該こしき台４１３及び該第一ファン４のファンフレーム４１の静翼４１４を接続する。並びに該ファンフレーム４１の四隅においてそれぞれ少なくとも１個の直列部４１５を設置し、固定部品６により貫通する。さらに、該第一ファン４のファンフレーム４１の対連側４１１には少なくとも１個の該直列部４１５周囲凹槽を取囲み形成する設置部４１６を設置する。該設置部４１６は該第一ファン４のファンフレーム４１を貫通する破口４１６１を具える。
【０００９】
一方、該第二ファン５は含むファンフレーム５１及びファンホイール５２を含む。該第二ファン５のファンフレーム５１は中空部を具え、該ファンホイール５２を設置する。該第二ファン５のファンフレーム５１の対連側５１２においてこしき台５１３を設置し、直径方向の排列で、該こしき台５１３及び該第二ファン５のファンフレーム５１の静翼５１４を接続する。並びに該第二ファン５のファンフレーム５１の四隅においてそれぞれ少なくとも１個の直列部５１５を設置し、固定部品６により貫通する。さらに、該第二ファン５のファンフレーム５１の対連側５１２には少なくとも１個の該第一ファン４の設置部４１６により対応し突出設置する接固部５１６を設置する。かつ該接固部５１６は該第二ファン５の直列部５１５周囲を取囲み、逆フック状の係合固定ユニット５１６１を形成し、該第一ファン４の設置部４１６の破口４１６１を嵌合する。
【００１０】
続いて図４、５、６に示すように、組合せ時には、該第一ファン４の対連側４１１を該第二ファン５の対連側５１２に対面させ、該第一ファン４の設置部４１６を該第二ファン５の接固部５１６に入れる。こうして、該第二ファン５の接固部５１６の係合固定ユニット５１６１は凹槽状の該設置部４１６に圧迫、進入後、該破口４１６１に至り、弾力により反発し係合固定する。さらに、該第二ファン５の接固部５１６は該第一ファン４の設置部４１６に結合し、該接固部５１６により該設置部４１６を接合し、横方向の結合力を提供する。また、該係合固定ユニット５１６１と該破口４１６１の結合は、縦方向の結合力を提供する。こうして、該第一ファン４及び該第二ファン５は安定的に直列接合される。
【００１１】
次に、図４、７に示すように、該第二ファン５の接固部５１６の係合固定ユニット５１６１を下方へと押すと、該係合固定ユニット５１６１は該第一ファン４の設置部４１６の破口４１６１から離脱し、該第一ファン４及び該第二ファン５はスムーズに分離される。こうして、該第一ファン４及び該第二ファン５は直列接合後も、容易に分解可能な特性を具えるようになり、公知の直列式ファンの分解困難であるという欠点を改善することができる。
【００１２】
さらに、図８、９、１０、１１、１２、１３、１４に示すように、本考案の別種の実施例では、その全体構造及び実施形態はおよそ前記構造と同様である。その相違点について以下に説明する。
図に示すように、該第一ファン４の反対側４１２には少なくとも１個の接固部４１７を形成し、かつ該接固部４１７は係合固定ユニット４１７１形成する。一方、該第二ファン５の反対側５１１は少なくとも１個の設置部５１７を設置し、該設置部５１７は破口５１７１を具える。
該構造は組合せ時には、少なくとも２個の第一ファン４及び第二ファン５を直列接合後に便利に分解可能で、少なくとも２個の第一ファン４、第二ファン５、第三ファン７及びそれ以上のファンを組合わせても分離が容易である特性を具える。
【図面の簡単な説明】
【００１３】
【図１】公知の直列式ファンの分解斜視図である。
【図２】図１の別の角度の分解斜視図である。
【図３】公知の直列式ファンの組立斜視図である。
【図４】本考案の第一実施例の主要部の分解斜視図である。
【図５】本考案の第一実施例の組立斜視図である。
【図６】本考案の第一実施例の２個のファン組合せた断面図である。
【図７】本考案の第一実施例の２個のファン分離の断面図である。
【図８】本考案の第二実施例の分解斜視図である。
【図９】本考案の第二実施例の別の角度からの分解斜視図である。
【図１０】本考案の第二実施例の組立斜視図である。
【図１１】本考案の第二実施例の２個のファン組合せた断面図である。
【図１２】本考案の第二実施例の２個のファン分離の断面図である。
【図１３】本考案の第二実施例の３個のファン組合せた断面図である。
【図１４】本考案の第二実施例の３個のファン分離の断面図である。
【符号の説明】
【００１４】
１  第一ファン
１１  ファンフレーム
１１１  入口
１１２  出口
１１３  貫通孔
１１４  係合固定部
１２  ファンホイール
２  第二ファン
２１  ファンフレーム
２１１  入口
２１２  出口
２１３  貫通孔
２１４  接合部
２２  ファンホイール
３  ネジ
４  第一ファン
４１  ファンフレーム
４１１  対連側
４１２  第一ファン反対側
４１３  こしき台
４１４  静翼
４１５  直列部
４１６  設置部
４１６１  破口
４１７  接固部
４１７１  係合固定ユニット
４２  ファンホイール
５  第二ファン
５１  ファンフレーム
５１１  第二ファン反対側
５１２  対連側
５１３  こしき台
５１４  静翼
５１５  直列部
５１６  接固部
５１６１  係合固定ユニット
５１７  設置部
５１７１  破口
５２  ファンホイール
６  固定部品
７  第三ファン
７１３  こしき台
７１５  直列部
７１６  接固部
７１６１  係合固定ユニット
７１７  設置部
７１７１  破孔
【図１】
0003108025.tif 000003
【図２】
0003108025.tif 000004
【図３】
0003108025.tif 000005
【図４】
0003108025.tif 000006
【図５】
0003108025.tif 000007
【図６】
0003108025.tif 000008
【図７】
0003108025.tif 000009
【図８】
0003108025.tif 000010
【図９】
0003108025.tif 000011
【図１０】
0003108025.tif 000012
【図１１】
0003108025.tif 000013
【図１２】
0003108025.tif 000014
【図１３】
0003108025.tif 000015
【図１４】
0003108025.tif 000016